(57)【要約】【解決手段】相対する側壁３に形成された持ち手用開口３’を閉鎖する持ち手用開口閉鎖カバーＣが配設されている運搬用容器において、持ち手用開口閉鎖カバーＣに形成された爪部材ｃ２、ｃ３が、側壁３に穿設された嵌合孔７、８に嵌入されているとともに、爪部材ｃ２、ｃ３の垂直爪部ｃ２ｂ、ｃ３ｂが、持ち手用開口３’を囲むように形成された額縁状枠６の下部水平部６ｂに垂設されている係止枠１２に係止するように構成したものである。【効果】持ち手用開口閉鎖カバーに形成された爪部材が、側壁に穿設された嵌合孔に嵌入されているとともに、爪部材の垂直爪部が、持ち手用開口を囲むように形成された額縁状枠の下部水平部に垂設されている係止枠に係止するように構成したので、持ち手用開口閉鎖カバーが、側壁から外れるようなことを、防止することができる。【選択図】図１２
2008013194.tif 000002
【特許請求の範囲】
【請求項１】
相対する側壁に形成された持ち手用開口を閉鎖する持ち手用開口閉鎖カバーが配設されている運搬用容器において、持ち手用開口閉鎖カバーに形成された爪部材が、側壁に穿設された嵌合孔に嵌入されているとともに、爪部材の垂直爪部が、持ち手用開口を囲むように形成された額縁状枠の下部水平部に垂設されている係止枠に係止されていることを特徴とする運搬用容器。
【請求項２】
持ち手用開口閉鎖カバーの閉鎖板部の外面に形成された水平嵌合突条が、はね上げ側壁に形成された内面側に開口を有する水平嵌合凹部に嵌合されていることを特徴とする請求項１に記載の運搬用容器。
【請求項３】
相対する側壁に形成された持ち手用開口を閉鎖する持ち手用開口閉鎖カバーが配設されている運搬用容器において、持ち手用開口閉鎖カバーに形成された端部爪部材が、側壁に穿設された端部嵌合孔に嵌入されているとともに、端部爪部材の垂直爪部が、持ち手用開口を囲むように形成された額縁状枠の下部水平部に垂設されている係止枠に係止されており、且つ、持ち手用開口閉鎖カバーに形成された中央部爪部材の垂直爪部が、側壁に穿設された中央部嵌合孔に嵌入されているとともに、中央部爪部材の垂直爪部が、中央部嵌合孔の下端水平縁部に係止されていることを特徴とする運搬用容器。
【請求項４】
持ち手用開口閉鎖カバーの閉鎖板部の外面に形成された水平嵌合突条が、はね上げ側壁に形成された内面側に開口を有する水平嵌合凹部に嵌合されていることを特徴とする請求項３に記載の運搬用容器。
【請求項５】
端部爪部材の垂直爪部と中央部爪部材の垂直爪部との向きを異なるように構成されていることを特徴とする請求項３又は請求項４に記載の運搬用容器。
【発明の詳細な説明】
【技術分野】
【０００１】
本発明は、物品の収納や保管や運搬等に使用される運搬用容器に関するものである。運搬用容器としては、箱型に組み立てられた状態から、底部にヒンジ連結された側壁を、略垂直状態から底部に重なるように倒すことにより、高さの低いコンパクトな状態に折り畳むことができる折り畳みタイプの運搬用容器（折り畳みコンテナー）や、底部と側壁が、一体に成形された、折り畳むことができない、所謂、ボックスタイプの運搬用容器（ボックスコンテナー）等がある。
【背景技術】
【０００２】
従来、運搬用容器の一方の相対する側壁の上部中央部には、持ち手用開口が形成されており、この持ち手用開口から、収納された物品がこぼれ落ちないように、持ち手用開口を閉鎖する持ち手用開口閉鎖カバーが取り付けられた運搬用容器が、一例として、特許文献１に開示されている。
【０００３】
上述した従来の運搬用容器においては、持ち手用開口閉鎖カバーの下部に、２枚の嵌合板からなる嵌合突部を形成するとともに、運搬用容器の持ち手用開口の下方に位置する側壁には、嵌合孔を形成し、持ち手用開口閉鎖カバーに形成された嵌合突部を、運搬用容器の持ち手用開口の下方に位置する側壁に形成された嵌合孔に嵌合することにより、持ち手用開口閉鎖カバーを、運搬用容器の側壁に着脱可能に取り付けるように構成されている。
【０００４】
【特許文献１】特開２００２−６８２００号公報
【発明の開示】
【発明が解決しようとする課題】
【０００５】
上述した従来の運搬用容器においては、持ち手用開口閉鎖カバーの側壁への取り付けは、単に、持ち手用開口閉鎖カバーに形成された嵌合突部を、運搬用容器の側壁に形成された嵌合孔に嵌合するだけであるので、持ち手用開口閉鎖カバーが、運搬用容器の側壁から外れ易いという問題があった。
【０００６】
また、運搬用容器を運搬する際には、作業者が、外側から、持ち手用開口閉鎖カバーを内側方向に傾斜させて、持ち手用開口閉鎖カバーで閉鎖されていた持ち手用開口に、作業者の手が挿入可能な間隙を形成すことが行われているが、上述した従来の運搬用容器において、持ち手用開口閉鎖カバーを内側方向に傾斜させた際に、持ち手用開口閉鎖カバーが、運搬用容器の側壁から外れるという問題があった。
【０００７】
本発明の目的は、上述した従来の運搬用容器が有する課題を解決することにある。
【課題を解決するための手段】
【０００８】
相対する側壁に形成された持ち手用開口を閉鎖する持ち手用開口閉鎖カバーが配設されている運搬用容器において、持ち手用開口閉鎖カバーに形成された爪部材が、側壁に穿設された嵌合孔に嵌入されているとともに、爪部材の垂直爪部が、持ち手用開口を囲むように形成された額縁状枠の下部水平部に垂設されている係止枠に係止するように構成したものである。
【０００９】
また、上述した運搬用容器において、持ち手用開口閉鎖カバーの閉鎖板部の外面に形成された水平嵌合突条が、はね上げ側壁に形成された内面側に開口を有する水平嵌合凹部に嵌合するように構成したものである。
【００１０】
相対する側壁に形成された持ち手用開口を閉鎖する持ち手用開口閉鎖カバーが配設されている運搬用容器において、持ち手用開口閉鎖カバーに形成された端部爪部材が、側壁に穿設された端部嵌合孔に嵌入されているとともに、端部爪部材の垂直爪部が、持ち手用開口を囲むように形成された額縁状枠の下部水平部に垂設されている係止枠に係止されており、且つ、持ち手用開口閉鎖カバーに形成された中央部爪部材の垂直爪部が、側壁に穿設された中央部嵌合孔に嵌入されているとともに、中央部爪部材の垂直爪部が、中央部嵌合孔の下端水平縁部に係止されるように構成したものである。
【００１１】
また、上述した運搬用容器において、持ち手用開口閉鎖カバーの閉鎖板部の外面に形成された水平嵌合突条が、はね上げ側壁に形成された内面側に開口を有する水平嵌合凹部に嵌合するように構成したものである。
【００１２】
更に、上述した運搬用容器において、端部爪部材の垂直爪部と中央部爪部材の垂直爪部との向きを異なるように構成したものである。
【発明の効果】
【００１３】
持ち手用開口閉鎖カバーに形成された爪部材が、側壁に穿設された嵌合孔に嵌入されているとともに、爪部材の垂直爪部が、持ち手用開口を囲むように形成された額縁状枠の下部水平部に垂設されている係止枠に係止するように構成したので、持ち手用開口閉鎖カバーが、側壁から外れるようなことを、防止することができる。
【００１４】
持ち手用開口閉鎖カバーの閉鎖板部の外面に形成された水平嵌合突条が、はね上げ側壁に形成された内面側に開口を有する水平嵌合凹部に嵌合するように構成したので、持ち手用開口閉鎖カバーが、側壁から外れるようなことを、確実に防止することができる。
【００１５】
持ち手用開口閉鎖カバーに形成された端部爪部材が、側壁に穿設された端部嵌合孔に嵌入されているとともに、端部爪部材の垂直爪部が、持ち手用開口を囲むように形成された額縁状枠の下部水平部に垂設されている係止枠に係止されており、且つ、持ち手用開口閉鎖カバーに形成された中央部爪部材が、側壁に穿設された中央部嵌合孔に嵌入されているとともに、中央部爪部材の垂直爪部が、中央部嵌合孔の下端水平縁部に係止されるように構成したので、持ち手用開口閉鎖カバーが、側壁から外れるようなことを、防止することができる。
【００１６】
持ち手用開口閉鎖カバーの閉鎖板部の外面に形成された水平嵌合突条が、はね上げ側壁に形成された内面側に開口を有する水平嵌合凹部に嵌合するように構成したので、持ち手用開口閉鎖カバーが、側壁から外れるようなことを、確実に防止することができる。
【００１７】
端部爪部材の垂直爪部と中央部爪部材の垂直爪部との向きを異なるように構成したので、持ち手用開口閉鎖カバーが上下方向に移動しても、端部爪部材の垂直爪部或いは中央部爪部材の垂直爪部の何れか一方が、側壁の係止枠或いは中央部嵌合孔の下端水平辺から外れるようなことがないので、持ち手用開口閉鎖カバーが、側壁から外れるようなことを、より確実に防止することができる。
【発明を実施するための最良の形態】
【００１８】
以下においては、運搬用容器の１つである上部フレームと底部と上部フレームとはね上げ側壁と上部分割側壁と上部分割側壁とからなる折り畳みタイプの運搬用容器を用いて、本発明の運搬用容器について説明する。
【００１９】
図１に示されているように、折り畳みタイプの運搬用容器は、額縁状の上部フレーム１と、底部２と、上部フレーム１の短辺側１ａに、その上部水平部がヒンジ連結された、折り畳みコンテナーの内側方向に回動可能なはね上げ側壁３と、上部分割側壁４と、下部分割側壁５とから構成されており、上部分割側壁４の上部水平部は、上部フレーム１の長辺側１ｂにヒンジ連結されており、また、上部分割側壁４の下部水平部と下部分割側壁５の上部水平部とは、互いにヒンジ連結されており、更に、下部分割側壁５の下部水平部は、底部２の長辺側２ａにヒンジ連結されている。
【００２０】
図１に示されているように、箱型に組み立てられた状態から、図２に示されているように、略垂直状態のはね上げ側壁３を、略水平状態に回動させ、次いで、上部分割側壁４と下部分割側壁５とを重ねることにより、図３に示されているように、高さの低いコンパクトな状態に折り畳むことができるように構成されている。
【００２１】
また、図３に示されているように、折り畳まれた状態の折り畳みコンテナーを、図１に示されているように、箱型に組み立てるには、上部フレーム１を上方に持ち上げる。上部フレーム１を上方に持ち上げると、上部分割側壁４と下部分割側壁５とは、重ねられた状態から、略面一状態となり、また、はね上げ側壁３は、略水平状態から略垂直状態に回動し、図１に示されているような箱型に組み立てられることになる。
【００２２】
図４〜図７に示されているように、相対するはね上げ側壁３を構成する板状部３ａの上部中央部には、正面形状が略方形状の持ち手用開口３’が形成されている。板状部３ａの外面３ａ１（箱型に組み立てられた際に、外側に位置する面）には、持ち手用開口３’を囲むように、額縁状枠６が形成されており、額縁状枠６は、上部水平部６ａ、下部水平部６ｂ及び上部水平部６ａと下部水平部６ｂの両端を連結する相対する垂直部６ｃとから構成されている。
【００２３】
下部水平部６ｂの直下に位置するはね上げ側壁３の板状部３ａには、所定の間隔を置いて、下部水平部６ｂの両端部付近に位置する一対の端部嵌合孔７が穿設されているとともに、一対の端部嵌合孔７間の中央部に位置するはね上げ側壁３の板状部３ａには、中央部嵌合孔８が穿設されている。
【００２４】
端部嵌合孔７の下端水平辺７ａ付近及び中央部嵌合孔８の下端水平辺８ａ付近に位置する板状部３ａには、板状部３ａを、内面（箱型に組み立てられた際に、内側に位置する面）３ａ２から外面３ａ１方向に向かって凹ますことにより、持ち手用開口３’の略全幅に亘たって延在する、板状部３ａの内面３ａ２側に開口を有する水平嵌合凹部９が形成されている。このような水平嵌合凹部９を形成することにより、端部嵌合孔７の下端水平辺７ａ付近及び中央部嵌合孔８の下端水平辺８ａ付近に位置する板状部３ａの外面３ａ１には、水平土手部９’が形成されることになる。
【００２５】
また、端部嵌合孔７の相対する垂直辺７ｂに沿って、板状部３ａの外面３ａ１には、外面３ａ１に略垂直で、且つ、上端が、額縁状枠６の下部水平部６ｂに連結されているとともに、下端が、水平土手部９’の上面に連結された縦リブ１０が形成されている。同様に、中央部嵌合孔８の相対する垂直辺８ｂに沿って、板状部３ａの外面３ａ１には、外面３ａ１に略垂直で、且つ、上端が、額縁状枠６の下部水平部６ｂに連結されているとともに、下端が、水平土手部９’の上面に連結された縦リブ１１が形成されている。
【００２６】
更に、端部嵌合孔７の相対する垂直辺７ｂに沿って形成された相対する縦リブ１０間に位置する額縁状枠６の下部水平部６ｂの裏面６ｂ１には、相対する縦リブ１０を連結する係止枠１２が垂設されている。
【００２７】
図８〜図１１を用いて、持ち手用開口閉鎖カバーＣについて説明する。
【００２８】
持ち手用開口閉鎖カバーＣは、はね上げ側壁３に形成された持ち手用開口３’を閉鎖する略方形状の閉鎖板部ｃ１を有しており、閉鎖板部ｃ１の外面（持ち手用開口閉鎖カバーＣを、運搬用容器に取り付けた際に、外側に位置する面）ｃ１’の下部両端部付近には、閉鎖板部ｃ１に対して略垂直な水平部ｃ２ａと、水平部ｃ２ａの上面先端部から上方に延在する上向きの垂直爪部ｃ２ｂとからなるブロック状の端部爪部材ｃ２が、所定に間隔を置いて、一対、形成されている。垂直爪部ｃ２ｂの上面は、水平部ｃ２ａの先端から閉鎖板部ｃ１に向かって、上方に傾斜した傾斜面ｃ２ｂ’として形成されている。
【００２９】
また、閉鎖板部ｃ１の下部中央部付近には、閉鎖板部ｃ１の外面ｃ１’に対して略垂直な水平部ｃ３ａと、水平部ｃ３ａの下面先端部から下方に延在する下向きの垂直爪部ｃ３ｂとからなるブロック状の中央部爪部材ｃ３が形成されている。垂直爪部ｃ３ｂの下面は、水平部ｃ３ａの先端から閉鎖板部ｃ１に向かって、下方に傾斜した傾斜面ｃ３ｂ’として形成されている。なお、本実施例には、水平部ｃ３ａの略中央部にのみに垂直爪部ｃ３ｂが形成されている例が示されている。
【００３０】
上述した閉鎖板部ｃ１の外面ｃ１’の下部に形成された一対の端部爪部材ｃ２と一対の端部爪部材ｃ２の中間に形成された中央部爪部材ｃ３とは、略水平方向に並設されており、また、端部爪部材ｃ２と中央部爪部材ｃ３の下方に位置する閉鎖板部ｃ１の外面ｃ１’の下端水平辺ｃ１ａ付近には、下端水平辺ｃ１ａに沿って、且つ、閉鎖板部ｃ１の略全幅に亘たって延在する水平嵌合突条ｃ４が形成されている。
【００３１】
また、閉鎖板部ｃ１の外面ｃ１’に形成された端部爪部材ｃ２及び中央部爪部材ｃ３の上方で、且つ、端部爪部材ｃ２及び中央部爪部材ｃ３付近に位置する閉鎖板部ｃ１の内面（持ち手用開口閉鎖カバーＣを、運搬用容器に取り付けた際に、内側に位置する面）ｃ１”には、閉鎖板部ｃ１を、その全幅に亘たって横断するように、閉鎖板部ｃ１の屈曲を容易にするための水平凹溝ｃ５が形成されている。
【００３２】
更に、上述した閉鎖板部ｃ１の内面ｃ１”に形成された水平凹溝ｃ５より上方に位置する閉鎖板部ｃ１の外面ｃ１’には、閉鎖板部ｃ１の幅方向に延在する水平部ｃ６ａと、水平部ｃ６ａの両端から上方に延在する垂直部ｃ６ｂとからなる略Ｕ字状の補強用リブｃ６が、必要に応じて適宜、形成されている。
【００３３】
上述した構成を有する持ち手用開口閉鎖カバーＣは、射出成形等により、合成樹脂で一体成形されることが好ましい。なお、ｃ８は、持ち手用開口閉鎖カバーＣに、端部爪部材ｃ２及び中央部爪部材ｃ３を成形する際に形成された金型の抜き孔である。
【００３４】
次に、主として、図１２及び図１３を用いて、はね上げ側壁３への持ち手用開口閉鎖カバーＣの取り付けについて説明する。
【００３５】
持ち手用開口閉鎖カバーＣを、折り畳みタイプの運搬用容器の中に入れるとともに、持ち手用開口閉鎖カバーＣの閉鎖板部ｃ１の外面ｃ１’とはね上げ側壁３の板状部３ａの内面３ａ２とが対向するように配置する。
【００３６】
次いで、持ち手用開口閉鎖カバーＣを、はね上げ側壁３方向に移動させることにより、持ち手用開口閉鎖カバーＣの閉鎖板部ｃ１の外面ｃ１’に形成された端部爪部材ｃ２を、はね上げ側壁３の板状部３ａに穿設された端部嵌合孔７に嵌入する。持ち手用開口閉鎖カバーＣに形成された端部爪部材ｃ２を、はね上げ側壁３に穿設された端部嵌合孔７に嵌入する際には、端部爪部材ｃ２の垂直爪部ｃ２ｂの傾斜面ｃ２ｂ’が、額縁状枠６の下部水平部６ｂの裏面６ｂ１に垂設されている係止枠１２に当接することになるが、この状態から、端部爪部材ｃ２の垂直爪部ｃ２ｂを、係止枠１２に押圧すると、端部爪部材ｃ２の水平部ｃ２ａが、下方に弾性変形して、端部爪部材ｃ２の垂直爪部ｃ２ｂが、係止枠１２を越えて、端部嵌合孔７に嵌入されて、図１２に示されているように、端部爪部材ｃ２の垂直爪部ｃ２ｂ及び水平部ｃ２ａが、端部嵌合孔７に嵌入されることになる。そして、端部爪部材ｃ２の垂直爪部ｃ２ｂ及び水平部ｃ２ａが、端部嵌合孔７に嵌入された際には、端部爪部材ｃ２の垂直爪部ｃ２ｂが、額縁状枠６の下部水平部６ｂの裏面６ｂ１に垂設されている係止枠１２の外面１２ａに係止されるとともに、持ち手用開口閉鎖カバーＣの閉鎖板部ｃ１の外面ｃ１’に形成された水平嵌合突条ｃ４が、はね上げ側壁３に形成された内面３ａ２側に開口を有する水平嵌合凹部９に嵌合されるように構成されている。
【００３７】
また、上述した持ち手用開口閉鎖カバーＣに形成された端部爪部材ｃ２のはね上げ側壁３に穿設された端部嵌合孔７へに嵌入と同じくして、持ち手用開口閉鎖カバーＣに形成された中央部爪部材ｃ３のはね上げ側壁３に穿設された中央部嵌合孔８への嵌入が行われることになる。中央部爪部材ｃ３を、はね上げ側壁３に穿設された中央部嵌合孔８に嵌入する際には、中央部爪部材ｃ３の垂直爪部ｃ３ｂの傾斜面ｃ３ｂ’が、中央部嵌合孔８の下端水平辺８ａに当接することになるが、この状態から、中央部爪部材ｃ３の垂直爪部ｃ３ｂを、中央部嵌合孔８の下端水平辺８ｂに押圧すると、図１３に示されているように、中央部爪部材ｃ３の水平部ｃ３ａ及び垂直爪部ｃ３ｂが、中央部嵌合孔８に嵌入されることになる。そして、中央部爪部材ｃ３の水平部ｃ３ａ及び垂直爪部ｃ３ｂが、中央部嵌合孔８に嵌入された際には、垂直爪部ｃ３ｂが、中央部嵌合孔８の下端水平縁部８ｃに係止されるように構成されている。
【００３８】
上述したようにして、持ち手用開口閉鎖カバーＣを、はね上げ側壁３に取り付けた際には、はね上げ側壁３に形成された持ち手用開口３’が、持ち手用開口閉鎖カバーＣの閉鎖板部ｃ１により閉鎖されるように構成されているので、持ち手用開口３’から、運搬用容器に収納された物品が落ちこぼれることがない。
【００３９】
上述した持ち手用開口閉鎖カバーＣのはね上げ側壁３への取り付け作業の際には、先ず最初に、持ち手用開口閉鎖カバーＣに形成された中央部爪部材ｃ３を、はね上げ側壁に穿設された中央部嵌合孔８に対向するように配置することが好ましい。このように、先ず最初に、持ち手用開口閉鎖カバーＣに形成された中央部爪部材ｃ３を、はね上げ側壁に穿設された中央部嵌合孔８に対向するように配置することにより、持ち手用開口閉鎖カバーＣに形成された一対の端部爪部材ｃ２を、はね上げ側壁に穿設された一対の端部嵌合孔７に位置決めすることができるので、持ち手用開口閉鎖カバーＣのはね上げ側壁３への取り付け作業の作業性が向上することになる。
【００４０】
上述したように、持ち手用開口閉鎖カバーＣに、中央部爪部材ｃ３を形成するとともに、はね上げ側壁に、中央部爪部材ｃ３が嵌入可能な中央部嵌合孔８を穿設することにより、中央部爪部材ｃ３及び中央部嵌合孔８が、持ち手用開口閉鎖カバーＣに形成された一対の端部爪部材ｃ２とはね上げ側壁３に穿設された一対の端部嵌合孔７とに位置決め部材としても機能するので、持ち手用開口閉鎖カバーＣのはね上げ側壁３への取り付け作業の作業性が向上することになる。
【００４１】
持ち手用開口閉鎖カバーＣが、はね上げ側壁３に取り付けられた状態においては、図１２に示されているように、持ち手用開口閉鎖カバーＣに形成された端部爪部材ｃ２が、はね上げ側壁３の板状部３ａに穿設された端部嵌合孔７に嵌入され、また、端部爪部材ｃ２の垂直爪部ｃ２ｂが、はね上げ側壁３に形成された持ち手用開口３’を囲むように形成された額縁状枠６の下部水平部６ｂの裏面６ｂ１に垂設されている係止枠１２の外面１２ａに係止され、更に、持ち手用開口閉鎖カバーＣの閉鎖板部ｃ１の外面ｃ１’に形成された水平嵌合突条ｃ４が、はね上げ側壁３に形成された内面３ａ２側に開口を有する水平嵌合凹部９に嵌合されるように構成されている。
【００４２】
上述したように、持ち手用開口閉鎖カバーＣに形成された端部爪部材ｃ２の垂直爪部ｃ２ｂが、はね上げ側壁３に形成された持ち手用開口３’を囲むように形成された額縁状枠６の下部水平部６ｂの裏面６ｂ１に垂設されている係止枠１２の外面１２ａに係止されているので、持ち手用開口閉鎖カバーＣに、運搬用容器の内側方向への外力が加わっても、持ち手用開口閉鎖カバーＣが、はね上げ側壁３から外れるようなことがない。
【００４３】
また、運搬用容器を運搬するために、作業者が、外側から、持ち手用開口閉鎖カバーＣを、運搬用容器の内側方向に傾動させて、持ち手用開口閉鎖カバーＣで閉鎖されていた持ち手用の開口３’に、図１４に示されているように、作業者の手が挿入可能な間隙Ａを形成することが行われているが、このように、持ち手用開口閉鎖カバーＣを、運搬用容器の内側方向に傾動させた際には、持ち手用開口閉鎖カバーＣの閉鎖板部ｃ１の外面ｃ１’に形成された水平嵌合突条ｃ４が、はね上げ側壁３に形成された内面３ａ２側に開口を有する水平嵌合凹部９に嵌合されているとともに、持ち手用開口閉鎖カバーＣの閉鎖板部ｃ１の水平嵌合突条ｃ４付近の外面ｃ１’が、はね上げ側壁３の板状部３ａの水平嵌合凹部９の上方に位置する内面３ａ１に当接するので、持ち手用開口閉鎖カバーＣの上下方向の移動が抑制されることになり、従って、上述したように、持ち手用開口閉鎖カバーＣに形成された端部爪部材ｃ２の垂直爪部ｃ２ｂが、はね上げ側壁３に形成された持ち手用開口３’を囲むように形成された額縁状枠６の下部水平部６ｂの裏面６ｂ１に垂設されている係止枠１２の外面１２ａに係止されていることと相まって、持ち手用開口閉鎖カバーＣが、はね上げ側壁３から外れるようなことを、確実に防止することができる。
【００４４】
更に、持ち手用開口閉鎖カバーＣに形成された中央部爪部材ｃ３が、はね上げ側壁に穿設された中央部嵌合孔８に嵌入された際には、図１３に示されているように、中央部爪部材ｃ３の垂直爪部ｃ３ｂが、中央部嵌合孔８の下端水平縁部８ｃに係止されるように構成されているので、持ち手用開口閉鎖カバーＣが、はね上げ側壁３から外れるようなことを、より確実に防止することができる。
【００４５】
更にまた、持ち手用開口閉鎖カバーＣに形成された端部爪部材ｃ２の上向きの垂直爪部ｃ２ｂが、はね上げ側壁３に形成された持ち手用開口３’を囲むように形成された額縁状枠６の下部水平部６ｂの裏面６ｂ１に垂設されている係止枠１２の外面１２ａに係止され、また、持ち手用開口閉鎖カバーＣに形成された中央部爪部材ｃ３の下向きの垂直爪部ｃ３ｂが、はね上げ側壁３に穿設された中央部嵌合孔８の下端水平縁部８ｃに係止されるように構成されているので、持ち手用開口閉鎖カバーＣが上方に移動した際に、中央部爪部材ｃ３の下向きの垂直爪部ｃ３ｂと中央部嵌合孔８の下端水平縁部８ｃとの係止状態が解除されようとしても、端部爪部材ｃ２の上向きの垂直爪部ｃ２ｂと持ち手用開口３’を囲むように形成された額縁状枠６の下部水平部６ｂの裏面６ｂ１に垂設されている係止枠２１との係止状態は解除されるようなことはなく、また、持ち手用開口閉鎖カバーＣが下方に移動した際に、端部爪部材ｃ２の上向きの垂直爪部ｃ２ｂと持ち手用開口３’を囲むように形成された額縁状枠６の下部水平部６ｂの裏面６ｂ１に垂設されている係止枠１２との係止状態が解除されようとしても、中央部爪部材ｃ３の下向きの垂直爪部ｃ３ｂと中央部嵌合孔８の下端水平縁部８ｃとの係止状態が解除されるようなことがないので、持ち手用開口閉鎖カバーＣが、はね上げ側壁３から外れるようなことを、更に確実に防止することができる。
【００４６】
なお更に、上述したように、持ち手用開口閉鎖カバーＣを、運搬用容器の内側方向に傾動させた際には、はね上げ側壁に穿設された中央部嵌合孔８に嵌入されている持ち手用開口閉鎖カバーＣの中央部爪部材ｃ３の水平部ｃ３ａの上面ｃ３ａ’が、持ち手用開口３’を囲むように形成された額縁状枠６の下部水平部６ｂの裏面６ｂ１に当接するように構成されているので、持ち手用開口閉鎖カバーＣの上方への移動が抑制されることになり、従って、持ち手用開口閉鎖カバーＣが、はね上げ側壁３から外れるようなことを、なお更に確実に防止することができる。
【図面の簡単な説明】
【００４７】
【図１】図１は、運搬用容器の一例としての折り畳みタイプの運搬用容器が箱型に組み立てられた状態の斜視図である。
【図２】図２は、図１に示されている折り畳みタイプの運搬用容器の折り畳み途中或いは組み立て途中の斜視図である。
【図３】図３は、図１に示されている折り畳みタイプの運搬用容器が折り畳まれた状態の斜視図である。
【図４】図４、図１に示されている折り畳みタイプの運搬用容器を構成するはね上げ側壁を外側から見た状態の部分拡大斜視図である。
【図５】図５、図１に示されている折り畳みタイプの運搬用容器を構成するはね上げ側壁を内側から見た状態の部分拡大斜視図である。
【図６】図６、図１に示されている折り畳みタイプの運搬用容器を構成するはね上げ側壁の部分拡大斜視図である。
【図７】図７、図１に示されている折り畳みタイプの運搬用容器を構成するはね上げ側壁の部分拡大斜視図である。
【図８】図８、図１に示されている折り畳みタイプの運搬用容器に形成された持ち手用開口を閉鎖するための持ち手用開口閉鎖カバーを外側から見た状態の斜視図である。
【図９】図９、図１に示されている折り畳みタイプの運搬用容器に形成された持ち手用開口を閉鎖するための持ち手用開口閉鎖カバーを内側から見た状態の斜視図である。
【図１０】図１０は、図１に示されている折り畳みタイプの運搬用容器に形成された持ち手用開口を閉鎖するための持ち手用開口閉鎖カバーの部分拡大斜視図である。
【図１１】図１１は、図１に示されている折り畳みタイプの運搬用容器に形成された持ち手用開口を閉鎖するための持ち手用開口閉鎖カバーの部分拡大斜視図である。
【図１２】図１２は、持ち手用開口閉鎖カバーが、図１に示されている折り畳みタイプの運搬用容器に取り付けられた状態の部分拡大斜視図である。
【図１３】図１３は、同じく、持ち手用開口閉鎖カバーが、図１に示されている折り畳みタイプの運搬用容器に取り付けられた状態の部分拡大斜視図である。
【図１４】図１４は、同じく、持ち手用開口閉鎖カバーが、図１に示されている折り畳みタイプの運搬用容器に取り付けられた状態の部分拡大斜視図である。
【符号の説明】
【００４８】
Ｃ・・・・・・・・持ち手用開口閉鎖カバー
ｃ１・・・・・・・閉鎖板部
ｃ２・・・・・・・端部爪部材
ｃ３・・・・・・・中央部爪部材
１・・・・・・・・上部フレーム
２・・・・・・・・底部
３・・・・・・・・はね上げ側壁
４・・・・・・・・上部分割側壁
５・・・・・・・・下部分割側壁
６・・・・・・・・額縁状枠
７・・・・・・・・端部嵌合孔
８・・・・・・・・中央部嵌合孔
９・・・・・・・・水平嵌合凹部
【図１】
2008013194.tif 000003
【図２】
2008013194.tif 000004
【図３】
2008013194.tif 000005
【図４】
2008013194.tif 000006
【図５】
2008013194.tif 000007
【図６】
2008013194.tif 000008
【図７】
2008013194.tif 000009
【図８】
2008013194.tif 000010
【図９】
2008013194.tif 000011
【図１０】
2008013194.tif 000012
【図１１】
2008013194.tif 000013
【図１２】
2008013194.tif 000014
【図１３】
2008013194.tif 000015
【図１４】
2008013194.tif 000016